(57)【要約】【課題】デザインがユニークで興趣に富み、自立性を有し開封が容易であるサイドガセット付き包装袋及びサイドガセット付き包装袋を提供する。【解決手段】サイドガセット付き包装袋１Ａは、前面部１１と、後面部１２と、左右のサイドガセット１３，１４とを有し、前面部１１と左右のサイドガセット１３，１４及び後面部１２と左右のサイドガセット１３，１４のそれぞれ開いた端縁同士に対し、被包装物を収容する開口１７を上部中央に確保しヒートシール１５ａ，１５ｂ，１６ａ，１６ｂを施してなるサイドガセット付き包装袋であり、かつ袋右側縁の上半部１８ａが右下がりに傾斜しかつ下半部１８ｂが左下がりに傾斜し、袋左側縁の上半部１９ａが左下がりに傾斜しかつ下半部１９ｂが右下がりに傾斜し、左右かつ前後に計四つの略三角翼を備える。【選択図】図１
2011121601.tif 000002
【特許請求の範囲】
【請求項１】
前面部と、後面部と、前面部と後面部との間に挟入された左右のサイドガセットとを有し、前面部と左右のサイドガセット及び後面部と左右のサイドガセットのそれぞれ開いた端縁同士について、被包装物を収容する開口を上部中央に確保しヒートシールを施してなるサイドガセット付き包装袋であって、
袋右側縁の上半部が右下がりに傾斜しかつ下半部が左下がりに傾斜し、袋左側縁の上半部が左下がりに傾斜しかつ下半部が右下がりに傾斜し、左右かつ前後に四つの略三角翼を備える、サイドガセット付き包装袋。
【請求項２】
前記前面部と前記後面部と前記左右のサイドガセットは、前記ヒートシールを剥離したときに平面展開する一葉の包材よりなる、請求項１に記載のサイドガセット付き包装袋。
【請求項３】
請求項１又は請求項２に記載のサイドガセット付き包装袋において、袋下部を内方へ窪ませてボトムガセットを備えてなる、サイドガセット付き包装袋。
【請求項４】
前記前面部と前記後面部と前記左右のサイドガセットは、前面部を構成する第１の連続包材と、後面部を構成する第２の連続包材と、左側のサイドガセットを構成する第３の連続包材と、右側のサイドガセットを構成する第４の連続包材と、重ねた状態で、前記袋左側縁と前記袋左側縁に対応したヒートシールを施され余分を切除され一袋単位に切り離されてなる、請求項１に記載のサイドガセット付き包装袋。
【請求項５】
請求項１乃至４のいずれかに記載のサイドガセット付き包装袋において、袋頂部を水平に切除してなる、サイドガセット付き包装袋。
【請求項６】
請求項１乃至５のいずれかに記載のサイドガセット付き包装袋において、前記開口を開いて被包装物を袋内に収容し該開口をシールしかつ被包装物の重みにより袋下部が平坦になっていると共に、右側に前後に備える二つの略三角翼が下側で開いていると共に、左側に前後に備える二つの略三角翼が下側で開いている、サイドガセット付き包装体。
【請求項７】
左右のサイドガセットが袋幅中央位置で折り返していて、かつ袋下端の右半部が左下がりに傾斜し左半部が右下がりに傾斜し上部中央に被包装物を収容する開口を確保し両側にヒートシールを施してなるサイドガセット付き包装袋において、
上記開口を開いて被包装物を袋内に収容し該開口をシールしかつ被包装物の重みにより袋下部が平坦になっていて、電子レンジで加熱したときに風船状に膨脹し、平面視において四方に位置することになるシールリブを備えている、サイドガセット付き包装体。
【発明の詳細な説明】
【技術分野】
【０００１】
本発明は、自立性を有する食品等のサイドガセット付き包装袋及びサイドガセット付き包装体に関する。
【背景技術】
【０００２】
従来のサイドガセット付き包装袋は、矩形の前面部及び後面部と、矩形の側面部を半折してなる左右のサイドガセットと、からなり、直方体形状の包装体を実現できて自立性を有する（例えば、特許文献１参照）。このサイドガセット付き包装袋は、タイトで洗練された形態を実現できるが、デザインの独創性が少ない。
【０００３】
これに対し、従来、デザインのユニークさを求めた自立性を有する包装袋・包装体が開示されている（例えば、特許文献２，３参照）。
【０００４】
特許文献２に開示された包装体は、幅広の平袋を形成し、平袋の表面部の中央と裏面部の中央とを離間させて正方形の開口を形成し、この開口より下側部分の袋本体を四面体とし、この開口より被包装物を収容した後、表面部と裏面部の各開口縁部を二つ折り合掌状に重ねてヒートシールしてなる。
【０００５】
特許文献２は、特許文献１と実質的に同一であり、開封したときの形態は舟形と平袋形の二通りがある。
【０００６】
このほか、縦型製袋充填包装機（ピロー包装機）において、１シールする毎にエンドシーラの向きを９０°旋回して包装し、ボトムシールとトップシールが９０°異なっている４面体形状のテトラパック（登録商標）が知られている。
【先行技術文献】
【特許文献】
【０００７】
【特許文献１】特開２０００−１８５７４０号公報
【特許文献２】特開２００６−１０３７５５号公報
【特許文献３】特開２００７−２８４０７７号公報
【発明の概要】
【発明が解決しようとする課題】
【０００８】
しかしながら、特許文献２，３に記載されている包装体は、四面体であるから自立性を有しているといっても、底面部中央の稜線が、袋開口を通りかつ袋中心を通る平面に対して直交する方向に延び、底面を構成している２面が、袋開口を通りかつ袋中心を通る平面に対して大きく傾斜しているので、陳列のために自立させるときは、前側又は後側に大きく傾いた状態になるので、陳列性に優れている、とはとても言えない。
【０００９】
特許文献３に記載されている包装体は、船形に開封できるが、元の平袋の状態にも開封できるから、消費者が間違えてしまう虞がある。テトラパックは、船形に開封することができない。
【００１０】
本発明は、上記問題点に鑑みてなされたものであり、デザインがユニークで興趣性に富み、開封が容易でかつ船形に開封することができるサイドガセット付き包装袋及びサイドガセット付き包装体を提供することを目的とする。
【課題を解決するための手段】
【００１１】
上記目的を達成するため、本発明のサイドガセット付き包装袋は、前面部と、後面部と、前面部と後面部との間に挟入された左右のサイドガセットとを有し、前面部と左右のサイドガセット及び後面部と左右のサイドガセットのそれぞれ開いた端縁同士について、被包装物を収容する開口を上部中央に確保しヒートシールを施してなるサイドガセット付き包装袋であって、袋右側縁の上半部が右下がりに傾斜しかつ下半部が左下がりに傾斜し、袋左側縁の上半部が左下がりに傾斜しかつ下半部が右下がりに傾斜し、左右かつ前後に四つの略三角翼を備える、ことを特徴とする。
【００１２】
上記構成によれば、前面部と後面部の、開口縁に沿った被トップヒートシール部分の下側を、一対のバキュームパッドで吸引保持して互いに離間することで、開口縁に沿ったサイドガセットの上縁が直線状に伸びて四角形の開口を開くことができる。この開口から被包装物を収容する。すると、袋底部が被包装物を収容したことで平坦になり自立性を有する。その後、一対のバキュームパッドを近接して開口を閉じ、トップヒートシールを施すと、本発明のサイドガセット付き包装体となる。
【００１３】
すなわち、本発明のサイドガセット付き包装体は、サイドガセット付き包装袋において、前記開口を開いて被包装物を袋内に収容し該開口をシールしかつ被包装物の重みにより袋下部が平坦になっていると共に、右側に前後に備える二つの略三角翼が下側で開いていると共に、左側に前後に備える二つの略三角翼が下側で開いている形態である。
【００１４】
この形態は、前面部と左右のサイドガセットとをヒートシールしてなる左右の前側シールリブと、後面部と左右のサイドガセットとをヒートシールしてなる左右の後側シールリブと、を有し、左右のいずれも前側シールリブと後側シールリブの上端同士が近接し下に行くにつれて広がり、左右かつ前後に略三角翼を有することになり、ユニークなデザインを実現でき、陳列したときの興趣性が有り、開封が容易でかつ船形に開封することができる。そして、レンジパックに適用した場合、電子レンジで加熱したときに風船状に膨脹し、平面視において四方に位置することになるシールリブを備えた形態となる。
【００１５】
本発明のサイドガセット付き包装体は、レンジパックに適用した場合、電子レンジで加熱したときに風船状に膨脹し、平面視において四方に位置するシールリブを備えている形態を含む。すなわち、左右のサイドガセットが袋幅中央位置で折り返していて、かつ袋下端の右半部が左下がりに傾斜し左半部が右下がりに傾斜し上部中央に被包装物を収容する開口を確保し両側にヒートシールを施してなるサイドガセット付き包装袋の、上記開口を開いて被包装物を袋内に収容し該開口をシールしかつ被包装物の重みにより袋下部が平坦になっていて、電子レンジで加熱したときに風船状に膨脹し、平面視において四方に位置するシールリブを備えている形態を含む。
【００１６】
本発明のサイドガセット付き包装体は、シールリブが四つ存在するので、隣り合わない一対のシールリブを掴んで互いに離間させる方向に力を加えることで、残りの一対のシールリブより剥離して開口を広げて船形に開封することができる。
【００１７】
本発明のサイドガセット付き包装袋・サイドガセット付き包装体は、電子レンジ加熱食品を包装するレンジパックに適用することができる。電子レンジで加熱されるレンジパックは、略三角翼が蒸気圧で膨らんでいき、概略、球体を扁平した形に膨れて四つのシールリブが十字状の配置になる。袋内の蒸気圧で完全に膨らんだ状態の最終段階で、上面中央の十字状のシール部が剥離してここから蒸気が抜ける。そして、電子レンジから取り出したレンジパックは、一方の対向一対のシールリブを掴んで互いに離間させる方向に力を加えることで、他方の対向一対のシールリブより剥離して開口を広げて船形に開封することができる。このため、包装袋を皿替わりに使用して内容物を食することができる。
【００１８】
本発明のサイドガセット付き包装袋には、一葉の包材を折り上げてなるタイプと、連続包材を重ねて袋状の輪郭にヒートシールを施しヒートシールの外縁に沿って打ち抜きカットしてなるタイプとが含まれ、前者のタイプは、さらに略正方形の包材を折り上げてなるタイプと、略菱形の包材を折り上げてなるタイプとを含む。略正方形の包材を折り上げてなるタイプは、袋下部を内方へ窪ませてボトムガセットを備えてなる形態に発展させることができる。本発明のサイドガセット付き包装袋は、前面部と後面部と左右のサイドガセットの、頂部が三角山状に尖った形態と、水平に切除してなる形態とを含む。
【発明の効果】
【００１９】
本発明によれば、デザインがユニークで興趣性に富み開封が容易でかつ船形に開封する、サイドガセット付き包装袋及びサイドガセット付き包装体を提供することができる。
本発明によれば、レンジパックに適用した場合、電子レンジで加熱したときに風船状に膨脹し、平面視において四方に位置することになるシールリブを備えているデザインがユニークな形態となる。
【図面の簡単な説明】
【００２０】
【図１】（ａ）は第１の実施形態に係るサイドガセット付き包装袋の正面図、（ｂ）は平面図、（ｃ）は底面図、（ｄ）は右側面図、（ｅ）は（ａ）におけるIe−Ie断面図、（ｆ）は（ａ）におけるIf−If断面図である。
【図２】（ａ）は図１に示すサイドガセット付き包装袋を構成するための包材の内面を視た平面展開図、（ｂ）は（ａ）の包材を立体的に起こしていく途中の平面図である。
【図３】（ａ）は図１に示すサイドガセット付き包装袋の開口を開いて被包装物を収容する状態を示す斜視図、（ｂ）は開口を閉じてトップヒートシールを施したサイドガセット付き包装体の正面図である。
【図４】（ａ）は図３（ｂ）に示すサイドガセット付き包装袋体の斜視図、（ｂ）は平面図である。
【図５】（ａ）は図３（ｂ）に示すサイドガセット付き包装袋体の開封途中の状態を示す模式的な斜視図、（ｂ）は開封終了時の斜視図である。
【図６】図３（ｂ）に示すサイドガセット付き包装袋体をレンジパックに適用した場合における、加熱膨張の終了時における蒸気噴出の状態を示す模式的な斜視図である。
【図７】（ａ）は第２の実施形態に係るサイドガセット付き包装袋の正面図、（ｂ）は（ａ）に示すサイドガセット付き包装袋を構成するための包材を内面側より見た平面図である。
【図８】（ａ）は第３の実施形態に係るサイドガセット付き包装袋の正面図、（ｂ）は右側面図である。
【図９】（ａ）は第４の実施形態に係るサイドガセット付き包装袋の正面図、（ｂ）は平面図、（ｃ）は右側面図である。
【図１０】図９に示すサイドガセット付き包装袋を連続製造する工程の要部の簡略斜視図である。
【図１１】（ａ）は第５の実施形態に係るサイドガセット付き包装袋の正面図、（ｂ）は平面図、（ｃ）は底面図、（ｄ）は右側面図、（ｅ）は（ａ）におけるXIe−XIe断面図である。
【図１２】（ａ）は第６の実施形態に係るサイドガセット付き包装袋の正面図、（ｂ）は平面図、（ｃ）は底面図であり、（ｄ）は（ａ）のサイドガセット付き包装袋を構成するための包材を内面側より視た平面展開図である。
【発明を実施するための形態】
【００２１】
以下、本発明の実施の形態について添付図面を参照して説明する。
〔第１の実施形態〕
本発明の第１の実施形態に係るサイドガセット付き包装袋を図１（ａ）〜（ｆ）に示す。図２（ａ）は、サイドガセット付き包装袋１Ａを構成するための包材Ｆ1を内面側より見た平面展開図である。
このサイドガセット付き包装袋１Ａは、包材Ｆ1を折り上げ、重ね合わさる端縁部にヒートシール１５ａ，１５ｂ，１６ａ，１６ｂを施してなる。
それゆえ、このサイドガセット付き包装袋１Ａは、前面部１１と、後面部１２と、前面部１１と後面部１２との間に挟入された左右のサイドガセット１３，１４とを有し、前面部１１と左右のサイドガセット１３，１４のそれぞれ開いた端縁同士についてヒートシール１５ａ，１６ａを施され、また後面部１２と左右のサイドガセット１３，１４のそれぞれ開いた端縁同士についてヒートシール１５ｂ，１６ｂを施され、かつ上部中央に被包装物を収容する開口（未シール部分）１７が確保されてなる。
【００２２】
図１（ａ）に示すように、このサイドガセット付き包装袋１Ａは、袋右側縁の上半部１８ａが右下がりに傾斜しかつ袋右側縁の下半部１８ｂが左下がりに傾斜し、袋左側縁の上半部１９ａが左下がりに傾斜しかつ袋左側縁の下半部１９ｂが右下がりに傾斜し、袋右側縁の下半部１８ｂと袋左側縁の下半部１９ｂとが下端で直角に交わり、左右の前面側と後面側に計四つの三角翼を有し、袋右側縁の上半部１８ａの上端と袋左側縁の上半部１９ａの上端との間が水平な辺となって開口１７が形成されている形態である。なお、四つの三角翼は、９０°のコーナーではなくて、角丸形状あるいは三角のコーナーを垂直に切除して略三角翼とする場合も含むものとする。この変形例では、電子レンジで加熱したときに風船状に膨脹し、平面視において四方に位置することになるシールリブを備えているデザインがユニークな形態となる。
【００２３】
図示しないが、袋右側縁の上半部１８ａが一対のヒートシールバーにより挟圧されてヒートシール１５ａ，１５ｂが施され、袋左側縁の上半部１９ａが他の一対のヒートシールバーによりヒートシール１６ａ，１６ｂが施される。このため、包材Ｆ1は、内面にシーラントフィルムあるいはパートコートを有している。
【００２４】
このサイドガセット付き包装袋１Ａは、図２（ａ）に示す正方形の四隅を三角にカットした平面展開形状の一葉の包材Ｆ1を図２（ｂ）に示すように折り上げることで、前面部１１と後面部１２と左右のサイドガセット１３，１４が形成され、開いた端縁同士についてヒートシール１５ａ，１５ｂ，１６ａ，１６ｂを施されてなる。図１（ａ）に示すように、四つのヒートシール１５ａ，１５ｂ，１６ａ，１６ｂには、それぞれ剥離止めヒートシール２０が施されている。
【００２５】
サイドガセット付き包装袋１Ａをタイトな包装形態とするために、包材Ｆ1には、包材を内面側に折る谷折り線２１，２２と、包材を外面側に折る山折り線２３が付与されることが有利である。このため、包材Ｆ1は、折り線が付き易い包材が選ばれるのが好ましい。谷折り線２１，２２は、包材Ｆ1の対向辺の中点同士を結ぶ中点連結線として付与され、前面部１１’と後面部１２’と左右の側面部１３’，１４’との四つに区分している。山折り線２３は、左右の側面部１３’，１４’に半折線として付与される。したがって、図１（ａ）に示すサイドガセット付き包装袋１Ａの前面部１１と後面部１２は、包材Ｆ1の前面部１１’と後面部１２’とを折り上げることで構成され、そして、包材Ｆ1の左側面部１３’と右側面部１４’とをそれぞれ半折して折り上げることでサイドガセット付き包装袋１Ａの左右のサイドガセット１３，１４として構成される。
【００２６】
包材Ｆ1を機械的に折り上げてサイドガセット付き包装袋１Ａを製袋することは可能である。例えば、包材の、袋前面部１１’の外面と後面部１２’の外面とを、一対のバキュームパッドで吸引保持し重ね合わせるように折り上げ、この折り上げに連動して、包材の、左右の側面部１３’，１４’の外面中央に側面部１３’，１４’をそれぞれ半折させる可動板を突き入れる装置構成とすることで達成できる。なお、包材Ｆ1を機械的に折り上げてサイドガセット付き包装袋１Ａを製袋する場合には、包材Ｆ1を規制できるので、包材Ｆ1に、上記した折り線を付けなくても製袋することが可能である。
【００２７】
図３（ａ）に示すように、前面部１１と後面部１２を吸い口Ｇ１，Ｇ２を有する対向一対のバキュームパッドＧで吸引保持して互いに離間することで、開口縁に沿ったサイドガセット１３，１４の上縁が直線状に伸びて四角形の開口１７を開くことができる。被包装物Ｋの袋内への収容は、開口１７にオーガＪを挿入し、このオーガＪを通して行うのが好ましい。被包装物Ｋを収容すると、被包装物Ｋが袋底部を水平方向に広げるので、袋底部が持ち上がり平坦になり自立性を有する。その後、図３（ｂ）に示すように、一対のバキュームパッドＧを閉じて開口１７を閉じ、開口縁を対向一対のトップヒートシールバーＨで挟圧して開口縁にトップヒートシール２４を施すと、サイドガセット付き包装体Ｐ１となる。
【００２８】
図４（ａ），（ｂ）に示すように、サイドガセット付き包装体Ｐ１は、左右かつ前後に四つの三角翼を備えた形態を維持し、サイドガセット１３，１４が、各側の前後の三角翼を構成していて、上部で閉じ合い、下部で開いているから、ユニークなデザインを実現でき、店頭に陳列したときに購買者に興趣性を喚起し得る。なお、四つのヒートシール１５ａ，１５ｂ，１６ａ，１６ｂを、それぞれに折り癖をつけて、四方に延びる形態としても、この実施形態の技術的範囲内のものである。
【００２９】
サイドガセット付き包装体Ｐ１を開封するには、図５（ａ）に示すように、四つのヒートシール１５ａ，１５ｂ，１６ａ，１６ｂの中、平面視において対角位置の二つのヒートシール、例えば、この図では、右前側のヒートシール１５ａと左後側のヒートシール１６ｂとを摘んで離間させるように力を加えると、四つのヒートシール１５ａ，１５ｂ，１６ａ，１６ｂの交点より剥離開始し、摘んでいない右後側のヒートシール１５ｂと左前側のヒートシール１６ａが剥離止めヒートシール２０の到達するまでトップヒートシール２４の半分を剥離する。図示しないが、次いで、右後側のヒートシール１５ｂと左前側のヒートシール１６ａとを摘んで離間させるように力を加えると、摘んでいない右前側のヒートシール１５ａと左後側のヒートシール１６ｂが剥離止めヒートシール２０に到達するまでトップヒートシール２４の残り半分を剥離する。このように、剥離止めヒートシール２０があるので、摘んでいない右後側のヒートシール１５ｂと左前側のヒートシール１６ａが一気に全長に渡って開いてしまうことを回避できるので、内容物が液体であっても安全に開封できる。上記のように開封すると、開口１７が四角形に開く。この状態で、開口１７にスプーンを入れて内容物を取り出して食しても良いし、袋を逆さにして内容物を食器に移しても良い。
【００３０】
図５（ｂ）に示すように、サイドガセット付き包装体Ｐ１を船形容器形状に開封するには、図５（ａ）に示すように、例えば、右前側のヒートシール１５ａと左後側のヒートシール１６ｂとを摘んで離間させるように力を加え、摘んでいない右後側のヒートシール１５ｂと左前側のヒートシール１６ａが剥離止めヒートシール２０に到達するまで剥離し、さらに引き続いて、摘んでいない右後側のヒートシール１５ｂと左前側のヒートシール１６ａを全長に渡り剥離する。それによって、サイドガセット付き包装体Ｐ１を船形容器形状に開封することができる。
【００３１】
上記構成のサイドガセット付き包装袋１Ａは、電子レンジ加熱食品を包装するレンジパックに適用することができる。レンジパックに適用したときのサイドガセット付き包装体Ｐは、図３（ｂ）に示す形態と変わりはない。レンジパックを電子レンジで加熱すると、図６に示すように、内容物（被包装物）Ｋから発生する蒸気の圧力が高まること及びストレッチ包材が延伸するにより、左右かつ前後の配列に備えた四つの三角翼が膨らんでいくに連れて、四つのヒートシール１５ａ，１５ｂ，１６ａ，１６ｂが平面視において十字状配置に変移していき、袋が蒸気圧で完全に膨らんだ状態では、全体が球体を扁平にした状態に膨れ、一層安定した自立性を生起し、ヒートシール１５ａ，１５ｂ，１６ａ，１６ｂの十字状の交点より剥離しここから蒸気が抜ける。テスト結果によれば、蒸気の抜け位置は常に安定して十字状のヒートシール部に起きることを確認できた。そして、電子レンジからレンジパックを取り出すと、蒸気が冷えて蒸気圧が低下し袋が扁平になる。電子レンジから取り出した直後は、袋表面も高温になるが、シールリブは蒸気に接していないので直ぐに掴める温度まで下がる。電子レンジから取り出した直後にレンジパックが扁平になっても、面袋上面側に十字状にシールリブが立って存在する部分があるので、一方の対向一対のシールリブを掴んで互いに離間させる方向に力を加えることで、他方の対向一対のシールリブを全長にわたり剥離して開口を広げて船形に開封することができる。なお、開口を小さく開けて逆さにして食器に移しても良い。
【００３２】
〔第２の実施形態〕
第２の実施形態に係るサイドガセット付き包装袋１Ｂを図７（ａ）に示す。第２の実施形態の構成について、第１の実施形態と同一の構成は同一の符号を付し、説明は省略する。このサイドガセット付き包装袋１Ｂは、頂部をカットしていない形態である。このサイドガセット付き包装袋１Ｂは、図７（ｂ）に示す包材Ｆ２を折り上げ、前面部１１と、後面部１２と、前面部１１と後面部１２との間に挟入された左右のサイドガセット１３，１４とを有し、前面部１１と左右のサイドガセット１３，１４のそれぞれ開いた端縁同士についてヒートシール１５ａ，１６ａを施し、また後面部１２と左右のサイドガセット１３，１４のそれぞれ開いた端縁同士についてヒートシール１５ｂ，１６ｂを施し、かつ上部中央に被包装物を収容する開口１７Ｂを確保してなる。
このサイドガセット付き包装袋１Ｂの、図１（ａ）に示すサイドガセット付き包装袋１Ａと比較したときの相違点は、図７（ｂ）に示すように、包材Ｆ２が正四角形であり、四隅が三角に切除されていないことである。包材Ｆ２の四隅が三角に切除されていないことは、開口１７Ｂを開いて被包装物を収容する上で入れにくくなったり、また、開封する上で開封しにくくなったりする、といった機能低下をもたらすことにはならない。この実施形態は、第２の実施形態とは別途の外的形象を提供することができる。
【００３３】
〔第３の実施形態〕
第３の実施形態に係るサイドガセット付き包装袋１Ｃを図８（ａ），（ｂ）に示す。第３の実施形態の構成について、第１の実施形態と同一の構成は同一の符号を付し、説明は省略する。このサイドガセット付き包装袋１Ｃは、図１に示すサイドガセット付き包装袋１Ａを形成してから、さらにボトムガセット２５を備えた形態である。ボトムガセット２５を備えるには、図１（ａ）に示すサイドガセット付き包装袋１Ａの、前面部１１の下部をバキュームで吸引保持すると共に、後面部１２の下部をバキュームで吸引保持し、該一対のバキュームを離間させて、袋底面部を平面展開してから、該平面展開した面の中央に、下方から左右方向に平たい薄板状の突上板を突き上げながら、一対のバキュームを閉じていくようにすることで形成できる。なお、上記構成では、両側のサイドガセット１３，１４の下部には三角の折り返しが付いて、該三角の折り返しがボトムガセット２５を跨ぐ形態になるが、ボトムガセット２５を形成した後にサイドガセット１３，１４の三角の折り返しを下げた形態にしても良い。
このサイドガセット付き包装袋１Ｃに被包装物を収容して封緘したサイドガセット付き包装体は、袋底面がタイトな四角形になる。サイドガセット付き包装袋１Ｃの機能は、図１に示すサイドガセット付き包装袋１Ａと同様である。
【００３４】
〔第４の実施形態〕
第４の実施形態に係るサイドガセット付き包装袋１Ｄを図９（ａ）〜（ｃ）に示す。
このサイドガセット付き包装袋１Ｄは、別々の包材で構成される、前面部１１Ｄと、後面部１２Ｄと、前面部１１Ｄと後面部１２Ｄとの間に挟入された左右のサイドガセット１３Ｄ，１４Ｄとを有し、前面部１１Ｄと左右のサイドガセット１３Ｄ，１４Ｄのそれぞれ開いた端縁同士について、剥離止めヒートシール２０を有するヒートシール２６を施し、また後面部１２Ｄと左右のサイドガセット１３Ｄ，１４Ｄのそれぞれ開いた端縁同士について、剥離止めヒートシール２０を有するヒートシール２７を施し、かつ上部中央に被包装物を収容する開口（未シール部分）１７Ｄを確保してなるサイドガセット付き包装袋である。
【００３５】
このサイドガセット付き包装袋１Ｄの、図１に示すサイドガセット付き包装袋１Ａと比較して相違する点は、前面部１１Ｄと、後面部１２Ｄと、左右のサイドガセット１３Ｄ，１４Ｄが別々の包材で構成されていること、これに伴い、ヒートシール２６，２７の設け方が相違していること、の２点である。
【００３６】
このサイドガセット付き包装袋１Ｄは、図９に示すように、前面部１１Ｄを構成するための第１の連続包材Ｆd1と、後面部を構成するための第２の連続包材Ｆd2と、左側のサイドガセットを構成するための第３の連続包材Ｆd3と、右側のサイドガセットを構成するための第４の連続包材Ｆd4と、を重ねた状態で、第１〜第４の連続包材Ｆd1〜Ｆd4を間欠送りし、単数又は複数のステイションで対向一対のＣ形のヒートシールバー（図示しない）で挟圧してヒートシール２６，２７を施し、さらに下流のステイションでヒートシール２６，２７の外輪郭に沿って打ち抜きカットを入れる打ち抜き器（図示しない）により打ち抜かれて製袋される。
【００３７】
このサイドガセット付き包装袋１Ｄは、特許文献１に開示されたタイプのサイドガセット付き包装袋と同様の製袋方法を適用することができるので、既存の製袋装置を若干改造することで適用でき、設備投資を安価に抑えられ、且つ量産に適している。
【００３８】
このサイドガセット付き包装袋１Ｄの開口１７Ｄを開けて被包装物を収容すると、袋底部が平坦になり自立性を備えたサイドガセット付き包装体になることは、図１に示すサイドガセット付き包装袋１Ａと同様である。また、このサイドガセット付き包装袋１Ｄの開封機能は、図１に示すサイドガセット付き包装袋１Ａと同等に有している。
【００３９】
〔第５の実施形態〕
第５の実施形態に係るサイドガセット付き包装袋を図１１（ａ）〜（ｃ）に示す。第５の実施形態の構成について、第１の実施形態と同一の構成は同一の符号を付し、説明は省略する。このサイドガセット付き包装袋１Ｅは、図１に示すサイドガセット付き包装袋１Ａと形成工程が殆ど同一である。相違する点は、上部を大きく切除して、開口（未シール部分）１７Ｅが大きく確保されていることと、開口１７Ｅの両側に際より縦シール３９ａ，３９ｂ，４０ａ，４０ｂが設けられていること、の二点である。
この構成においても、袋右側縁の上半部が右下がりに傾斜しかつ下半部が左下がりに傾斜し、袋左側縁の上半部が左下がりに傾斜しかつ下半部が右下がりに傾斜し、左右かつ前後に四つの三角翼を備えている。
このサイドガセット付き包装袋１Ｅも、開口を開いて被包装物を袋内に収容し該開口をシールし包装体となったときに、被包装物の重みにより袋下部が平坦になっていると共に、右側に前後に備える二つの三角翼が下側で開いていると共に、左側に前後に備える二つの三角翼が下側で開いている形態となる。
さらに、レンジパックに適用したときには、両側のサイドガセット１３，１４がサイドガセット付き包装袋１Ｅの形態のときに中央で近接するまで大きく確保されているから、図６に示すように、球体を扁平させた状態に膨らみ、四つの三角翼は、四方に向いて位置する。この実施形態では、三角翼は、他の実施形態とは異なり、ポケット空間を形成していないので、膨らまないから、球体を扁平にさせた状態に膨らむとはいっても、一回り小さいサイズになる。蒸気抜きは、図６の状態と同一に起きる。
なお、縦シール３９ａ，３９ｂ，４０ａ，４０ｂの外側の際より、三角部分を切除して、正面視において、ホームベース形状のサイドガセット付き包装袋とし、レンジパックに適用したサイドガセット付き包装体も本発明に含まれる。このホームベース形状のサイドガセット付き包装袋については、レンジパックとしての使用後に、縦シール３９ａ，３９ｂ，４０ａ，４０ｂの内側の際までヒートシールを剥離すると、被包装物の収容時と同じ大きさの開口１７Ｅとなるように開くことができ、四角升形の容器として使用できる。
【００４０】
〔第６の実施形態〕
第６の実施形態に係るサイドガセット付き包装袋を図１２（ａ）〜（ｃ）に示す。また、図１２（ｄ）は、サイドガセット付き包装袋を構成するための包材を内面側より視た平面展開図を示す。図１２（ｄ）において、包材Ｆ６は、内面側へ折る谷折り線３２〜３６と、外面側へ折る山折り線３７，３８とが付与され、谷折り線３２〜３６によって、前面部１１Ｆ’と、後面部１２Ｆ’と、左右の側面部１３Ｆ’，１４Ｆ’とに区分され、山折り線３７，３８によって、左右の側面部１３Ｆ’，１４Ｆ’が半分に区分される。
このサイドガセット付き包装袋１Ｆは、包材Ｆ５を谷折り線３２〜３６と山折り線３７，３８によって折り上げ、それによって重ね合わさる端縁部にヒートシール２８ａ，２８ｂ，２９ａ，２９ｂを施してなる。
【００４１】
図１２（ａ）〜（ｃ）に示すように、このサイドガセット付き包装袋１Ｆは、前面部１１Ｆと、後面部１２Ｆと、前面部１１Ｆと後面部１２Ｆとの間に挟入された左右のサイドガセット１３Ｆ，１４Ｆとを有し、前面部１１Ｆと左右のサイドガセット１３Ｆ，１４Ｆのそれぞれ開いた端縁同士についてヒートシール２８ａ，２９ａを施し、また後面部１２Ｆと左右のサイドガセット１３Ｆ，１４Ｆのそれぞれ開いた端縁同士についてヒートシール２８ｂ，２９ｂを施し、かつ上部中央に被包装物を収容する開口（未シール部分）１７Ｆを確保して構成される。この構成は、図１に示すサイドガセット付き包装袋１Ａと同様である。
【００４２】
このサイドガセット付き包装袋１Ｆは、袋右側縁の上半部３０ａが右下がりに傾斜しかつ袋右側縁の下半部３０ｂが左下がりに傾斜し、袋左側縁の上半部３１ａが左下がりに傾斜しかつ袋左側縁の下半部３１ｂが右下がりに傾斜し、前面側と後面側の左右に三角翼を有し、袋右側縁の上半部３０ａの上端と袋左側縁の上半部３１ａの上端との間が水平な辺となって開口１７Ｆが形成されている形態である。この構成は、図１に示すサイドガセット付き包装袋１Ａと同様である。
【００４３】
このサイドガセット付き包装袋１Ｆの、図１に示すサイドガセット付き包装袋１Ａと相違する点は、サイドガセット付き包装袋１Ｆを構成するための包材Ｆ５の形状が図１に示すサイドガセット付き包装袋１Ａを構成するための包材Ｆ１の形状と相違し、かつ包材Ｆ５に付与される折り線が包材Ｆ１に付与される折り線と大きく相違しており、これによって、製袋された状態では、前面部１１Ｆと後面部１２Ｆとが下端の稜線３２で折り返されていることと、右側のサイドガセット１３Ｆの下端と左側のサイドガセット１４Ｆの下端とが稜線３２の長さだけ離間している点である。
【００４４】
このサイドガセット付き包装袋１Ｆは、図１に示すサイドガセット付き包装袋１Ａと同様に、被包装物を収容すると、稜線３２が無くなって平坦になり自立性を有し、左右かつ前後に、三角翼を備えた形態になり、ユニークなデザインを呈する。さらに、このサイドガセット付き包装袋１Ｆは、レンジパックに適用することができ、図１に示すサイドガセット付き包装袋１Ａと略同様の機能を備えるものである。
【００４５】
〔包材の構成例〕
本発明の包材は、例えば以下のような積層包材を用いることができる。
(１)OPP 20μm／接着剤／LDPE 20μm・・・・（外層／内層）
(２)PET 12μm／接着剤／LLDPE 30μm〜120μm・・・・（外層／内層）
(３)OPP 20μm／接着剤／CPP 20μm〜60μm・・・・（外層／内層）
(４)O−NYLON 15μm／接着剤／LLDPE 30μm〜120μm・・・・（外層／内層）
(５)O−NYLON 15μm／AC剤／押出LDPE 20μm／LLDPE 30μm〜100μm・・・・（外層／内層）
(６)PET 12μm／AC剤／押出LDPE 20μm／LLDPE 30μm〜100μm・・・・（外層／内層）
(７)OPP20μm／接着剤／蒸着PET 12μm／接着剤／CPP 20μm〜40μm・・・・（外層／中間層／内層）
(８)PET 12μm／接着剤／アルミ箔 7μm〜20μm／接着剤／LLDPE 30μm〜120μm・・・・（外層／中間層／内層）
(９)PET 12μm／接着剤／アルミ箔 7μm〜20μm／AC剤／押出LDPE 20μm／LLDPE 30μm〜100μm・・・・・・・・（外層／中間層／内層）
(10)蒸着PET 12μm／接着剤／LLDPE 30μm〜120μm・・・・（外層／内層）
(11)LDPE不織布／接着剤／LDPE 20μm・・・・（外層／内層）
(12)PET不織布／接着剤／LLDPE 30μm〜120μm・・・・（外層／内層）
(13)紙／接着剤／LLDPE 50μm・・・・（外層／内層：シーラント）
このほか、レンジパックに適用しない場合には、イージーピールやパートコートを使用できる。アルミ箔やアルミ蒸着PETなどを含む包材はレンジパックには適用しない。
【００４６】
〔その他の実施形態〕
本発明は、上記の実施形態に限定されるものでなく、特許請求の範囲の技術的範囲には、発明の要旨を逸脱しない範囲内で種々、設計変更した形態が含まれる。被包装物は食品に限らず、玩具や雑貨であってもよい。
【符号の説明】
【００４７】
１Ａ〜１Ｆ  サイドガセット付き包装袋
Ｐ１，Ｐ５  サイドガセット付き包装体
Ｆ１，Ｆ２，Ｆ６  包材
Ｆd1〜Ｆd4  第１〜第４の連続包材
Ｈ  ヒートシールバー
Ｇ  バキュームパッド
Ｇ１，Ｇ２  吸い口
１１，１１Ｄ，１１Ｅ  前面部
１２，１２Ｄ，１２Ｅ  後面部
１３，１３Ｄ，１３Ｅ  右側のサイドガセット
１３’１３Ｆ’  右側面部
１４，１４Ｄ，１４Ｅ  左側のサイドガセット
１４’１４Ｆ’  左側面部
１５ａ，１５ｂ，１６ａ，１６ｂ  ヒートシール
１７，１７Ｂ，１７Ｄ，１７Ｅ，１７Ｆ  開口            
１８ａ  袋右側縁の上半部
１８ｂ  袋右側縁の下半部
１９ａ  袋左側縁の上半部
１９ｂ  袋左側縁の下半部
２０  剥離止めヒートシール
２１，２２  谷折り線
２３  山折り線
２４  トップヒートシール
２５  ボトムガセット
２６，２７  ヒートシール
２８ａ，２８ｂ，２９ａ，２９ｂ  ヒートシール
３０ａ  袋右側縁の上半部
３０ｂ  袋右側縁の下半部
３１ａ  袋左側縁の上半部
３１ｂ  袋左側縁の下半部
３２〜３６  谷折り線
３７，３８  山折り線
３９ａ，３９ｂ，４０ａ，４０ｂ  ヒートシール
【図１】
2011121601.tif 000003
【図２】
2011121601.tif 000004
【図３】
2011121601.tif 000005
【図４】
2011121601.tif 000006
【図５】
2011121601.tif 000007
【図６】
2011121601.tif 000008
【図７】
2011121601.tif 000009
【図８】
2011121601.tif 000010
【図９】
2011121601.tif 000011
【図１０】
2011121601.tif 000012
【図１１】
2011121601.tif 000013
【図１２】
2011121601.tif 000014